(57)【要約】【課題】造形物を造形する造形装置において、深みのある黒色をより適切に表現する。【解決手段】立体的な造形物５０を造形する造形装置であって、複数の吐出ヘッドと、制御部とを備え、複数の吐出ヘッドとして、少なくとも、黒色の材料を吐出する黒色用ヘッドと、有彩色の着色用の材料を吐出する着色材料用ヘッドとを有し、制御部は、複数の吐出ヘッドに、造形物５０において外部から色彩を識別できる部分の少なくとも一部に、少なくとも着色用の材料を用いて着色される着色領域３０６と、少なくとも黒色の材料を用いて黒色に着色される黒色領域３０８とを形成させ、かつ、造形物５０の表面と垂直な法線方向における厚さについて、黒色領域３０８を着色領域３０６よりも厚く形成させる。【選択図】図２
2018027627.tif 000002
【特許請求の範囲】
【請求項１】
立体的な造形物を造形する造形装置であって、
造形の材料をそれぞれ吐出する複数の吐出ヘッドと、
前記吐出ヘッドの動作を制御する制御部と
を備え、
前記複数の吐出ヘッドとして、少なくとも、
黒色の材料を吐出する黒色用ヘッドと、
有彩色の着色用の材料を吐出する着色材料用ヘッドと
を有し、
前記制御部は、前記複数の吐出ヘッドに、
前記造形物において外部から色彩を識別できる部分の少なくとも一部に、
少なくとも前記着色用の材料を用いて着色される着色領域と、
少なくとも前記黒色の材料を用いて黒色に着色される黒色領域と
を形成させ、
かつ、前記造形物の表面と垂直な法線方向における厚さについて、前記黒色領域を前記着色領域よりも厚く形成させることを特徴とする造形装置。
【請求項２】
前記法線方向における前記黒色領域と前記着色領域との厚さの差は、５０μｍ以上であることを特徴とする請求項１に記載の造形装置。
【請求項３】
前記吐出ヘッドとして、光反射性の材料を吐出する光反射材料用ヘッドを更に有し、
前記制御部は、
少なくとも前記光反射材料用ヘッドを用いて、前記光反射性の領域である光反射領域を形成させ、
少なくとも前記着色材料用ヘッドを用いて、前記着色領域を、前記光反射領域の少なくとも一部の外側に形成させ、
少なくとも前記黒色用ヘッドを用いて、前記黒色領域を、前記光反射領域が形成されていない領域の外側に形成させることを特徴とする請求項１又は２に記載の造形装置。
【請求項４】
前記吐出ヘッドとして、光反射性の材料を吐出する光反射材料用ヘッドを更に有し、
前記制御部は、
少なくとも前記光反射材料用ヘッドを用いて、前記光反射性の領域である光反射領域を形成させ、
前記複数の吐出ヘッドに、前記着色領域及び前記黒色領域を、前記光反射領域の少なくとも一部の外側に形成させ、
かつ、前記法線方向における前記光反射領域の厚さについて、前記法線方向において前記黒色領域と重なる部分の厚さを、前記法線方向において前記着色領域と重なる部分の厚さよりも小さくすることを特徴とする請求項１又は２に記載の造形装置。
【請求項５】
前記吐出ヘッドとして、透光性の材料を吐出する透光性材料用ヘッドを更に有し、
前記制御部は、前記黒色用ヘッドに前記黒色の材料を吐出させ、前記透光性材料用ヘッドに前記透光性の材料を吐出させることにより、前記黒色用ヘッド及び前記透光性材料用ヘッドに前記黒色領域を形成させることを特徴とする請求項１から４のいずれかに記載の造形装置。
【請求項６】
前記制御部は、
少なくとも前記着色材料用ヘッドに前記着色用の材料を吐出させ、前記透光性材料用ヘッドに前記透光性の材料を吐出させることにより、少なくとも前記着色材料用ヘッド及び前記透光性材料用ヘッドを用いて前記着色領域を形成させ、
かつ、前記黒色領域における前記透光性の材料の含有比率が前記着色領域における前記透光性の材料の含有比率よりも多くなるように、前記複数の吐出ヘッドに前記黒色領域及び前記着色領域を形成させることを特徴とする請求項５に記載の造形装置。
【請求項７】
前記黒色の材料は、色材として黒色の顔料を含むインクであることを特徴とする請求項１から６のいずれかに記載の造形装置。
【請求項８】
前記黒色の材料は、色材として黒色の染料を含むインクであることを特徴とする請求項１から６のいずれかに記載の造形装置。
【請求項９】
前記造形物の各位置の断面に対応する複数のスライスデータに基づいて積層造形法で前記立体物を造形し、
前記黒色領域において、一つのスライスデータに対応して形成される１層分の領域に対する透過率は２０％以上であり、
前記法線方向における前記黒色領域の透過率は１０％以下であることを特徴とする請求項１から８のいずれかに記載の造形装置。
【請求項１０】
前記黒色領域は、ピアノブラック色に着色される領域であることを特徴とする請求項１から９のいずれかに記載の造形装置。
【請求項１１】
前記制御部は、前記造形物の内部を構成する領域であり、光吸収性の色で形成される内部領域を前記複数の吐出ヘッドに更に形成させ、
かつ、前記黒色領域及び前記着色領域を、前記内部領域の外側に形成させることを特徴とする請求項１から１０のいずれかに記載の造形装置。
【請求項１２】
造形物の各位置の断面に対応する複数のスライスデータに基づいて積層造形法で立体的な前記立体物を造形する造形装置であって、
造形の材料をそれぞれ吐出する複数の吐出ヘッドと、
前記吐出ヘッドの動作を制御する制御部と
を備え、
前記複数の吐出ヘッドとして、少なくとも、黒色の材料を吐出する黒色用ヘッドを有し、
前記制御部は、前記複数の吐出ヘッドに、
前記造形物において外部から色彩を識別できる部分の少なくとも一部に、少なくとも前記黒色の材料を用いて黒色に着色される黒色領域を形成させ、
前記黒色領域において、一つのスライスデータに対応して形成される１層分の領域に対する透過率は２０％以上であり、
前記法線方向における前記黒色領域の透過率は１０％以下であることを特徴とする造形装置。
【請求項１３】
立体的な造形物を造形する造形装置であって、
造形の材料をそれぞれ吐出する複数の吐出ヘッドと、
前記吐出ヘッドの動作を制御する制御部と
を備え、
前記複数の吐出ヘッドとして、少なくとも、
光吸収性の材料を吐出する光吸収性材料用ヘッドと、
有彩色の着色用の材料を吐出する着色材料用ヘッドと
を有し、
前記制御部は、前記複数の吐出ヘッドに、
前記造形物において外部から色彩を識別できる部分の少なくとも一部に、
少なくとも前記着色用の材料を用いて着色される着色領域と、
少なくとも前記光吸収性の材料を用いて光吸収性の色に着色される光吸収性領域と
を形成させ、
かつ、前記造形物の表面と垂直な法線方向における厚さについて、前記光吸収性領域を前記着色領域よりも厚く形成させることを特徴とする造形装置。
【請求項１４】
立体的な造形物を造形する造形装置であって、
造形の材料をそれぞれ吐出する複数の吐出ヘッドと、
前記吐出ヘッドの動作を制御する制御部と
を備え、
前記複数の吐出ヘッドとして、少なくとも、
黒色の材料を吐出する黒色用ヘッドと、
有彩色の着色用の材料を吐出する着色材料用ヘッドと
を有し、
前記制御部は、前記複数の吐出ヘッドに、
少なくとも前記着色用の材料を用いて着色される着色領域と、
少なくとも前記黒色の材料を用いて黒色に着色される黒色領域と、
前記造形物の内部を構成する領域であり、光吸収性の色で形成される内部領域と
を形成させ、
かつ、前記黒色領域及び前記着色領域を、前記内部領域に対する前記造形物の外側に形成させることを特徴とする造形装置。
【請求項１５】
立体的な造形物を造形する造形方法であって、
造形の材料をそれぞれ吐出する複数の吐出ヘッドとして、少なくとも、
黒色の材料を吐出する黒色用ヘッドと、
有彩色の着色用の材料を吐出する着色材料用ヘッドと
を用い、
前記複数の吐出ヘッドに、
前記造形物において外部から色彩を識別できる部分の少なくとも一部に、
少なくとも前記着色用の材料を用いて着色される着色領域と、
少なくとも前記黒色の材料を用いて黒色に着色される黒色領域と
を形成させ、
かつ、前記造形物の表面と垂直な法線方向における厚さについて、前記黒色領域を前記着色領域よりも厚く形成させることを特徴とする造形方法。
【請求項１６】
造形物の各位置の断面に対応する複数のスライスデータに基づいて積層造形法で立体的な前記立体物を造形する造形方法であって、
造形の材料をそれぞれ吐出する複数の吐出ヘッドとして、少なくとも、黒色の材料を吐出する黒色用ヘッドを用い、
前記複数の吐出ヘッドに、前記造形物において外部から色彩を識別できる部分の少なくとも一部に、少なくとも前記黒色の材料を用いて黒色に着色される黒色領域を形成させ、
前記黒色領域において、一つのスライスデータに対応して形成される１層分の領域に対する透過率は２０％以上であり、
前記法線方向における前記黒色領域の透過率は１０％以下であることを特徴とする造形方法。
【請求項１７】
立体的な造形物を造形する造形方法であって、
造形の材料をそれぞれ吐出する複数の吐出ヘッドとして、少なくとも、
光吸収性の材料を吐出する光吸収性材料用ヘッドと、
有彩色の着色用の材料を吐出する着色材料用ヘッドと
を用い、
前記複数の吐出ヘッドに、
前記造形物において外部から色彩を識別できる部分の少なくとも一部に、
少なくとも前記着色用の材料を用いて着色される着色領域と、
少なくとも前記光吸収性の材料を用いて光吸収性の色に着色される光吸収性領域と
を形成させ、
かつ、前記造形物の表面と垂直な法線方向における厚さについて、前記光吸収性領域を前記着色領域よりも厚く形成させることを特徴とする造形方法。
【請求項１８】
立体的な造形物を造形する造形方法であって、
造形の材料をそれぞれ吐出する複数の吐出ヘッドとして、少なくとも、
黒色の材料を吐出する黒色用ヘッドと、
有彩色の着色用の材料を吐出する着色材料用ヘッドと
を用い、
前記複数の吐出ヘッドに、
少なくとも前記着色用の材料を用いて着色される着色領域と、
少なくとも前記黒色の材料を用いて黒色に着色される黒色領域と、
前記造形物の内部を構成する領域であり、光吸収性の色で形成される内部領域と
を形成させ、
かつ、前記黒色領域及び前記着色領域を、前記内部領域に対する前記造形物の外側に形成させることを特徴とする造形方法。
【発明の詳細な説明】
【技術分野】
【０００１】
本発明は、造形装置及び造形方法に関する。
【背景技術】
【０００２】
従来、インクジェットヘッドを用いて造形物を造形する造形装置（３Ｄプリンタ）が知られている（例えば、特許文献１参照。）。このような造形装置においては、例えば、インクジェットヘッドにより形成するインクの層を複数層重ねることにより、積層造形法で造形物を造形する。
【先行技術文献】
【特許文献】
【０００３】
【特許文献１】特開２０１５−７１２８２号公報
【発明の概要】
【発明が解決しようとする課題】
【０００４】
造形物を着色する場合においては、例えば黒色のインクを用いて、一部の領域を黒色に着色する場合がある。そして、この場合、外部からの黒色の見え方について、例えばピアノブラック色等の深みのある黒色を表現することが望まれる場合がある。そのため、従来、このような深みのある黒色をより適切に表現できる構成が望まれていた。そこで、本発明は、上記の課題を解決できる造形装置及び造形方法を提供することを目的とする。
【課題を解決するための手段】
【０００５】
インクジェットヘッドを用いて造形を行う場合、黒色のインクの他に有彩色の着色用のインクを更に用いて造形を行うことにより、着色された造形物を造形することが考えられる。この場合、例えば、外部から色彩を視認できる表面の領域を着色用のインク等で形成することにより、様々な色の着色を行うことができる。
【０００６】
また、この場合、例えば減法混色法で様々な色を表現するためには、着色用のインクで形成する着色領域について、通常、造形物の表面に対する法線方向において光が透過可能な厚さに形成する。また、これにより、例えば、着色領域を介して造形物の外部から入射した光を内部の光反射性の領域で反射して、様々な色を表現する。また、従来の構成の場合、通常、黒色に着色する領域についても、他の色に着色する領域と同様に形成する。
【０００７】
ここで、黒色の領域については、他の色に着色する領域と異なり、光を透過するのではなく、外部から入射した光を十分に吸収することが望ましい。そして、そのためには、黒色の領域の形成に用いる黒色のインクについて、黒色の領域の厚さが小さくても十分に光を吸収するように、例えば顔料濃度の高い濃い黒色のインクを用いることが考えられる。
【０００８】
しかし、濃い黒色のインクで黒色の領域を形成する場合、表面のみが黒色に着色されているような印象になり、深みのある黒色を表現することが難しくなる場合がある。より具体的には、例えば、光沢性で深みのある黒色であるピアノブラック色等を表現しようとする場合において、黒色の深みが不十分な印象になり、高級感のあるピアノブラック色等を十分に表現できない場合もある。
【０００９】
これに対し、本願の発明者は、鋭意研究により、深みのある黒色を表現するためには、黒色の領域の厚みが重要であることを見出した。そして、この知見に基づき、黒色の領域を他の色の領域と同じように形成するのではなく、法線方向の厚さについて、黒色の領域をより厚くすることを考えた。また、この場合において、例えば、単位厚さに対する黒色の領域の透過率をある程度大きくすることで、深みのある黒色をより適切に表現し得ることを見出した。また、更なる鋭意研究により、このような効果を得るために必要な特徴を見出し、本発明に至った。
【００１０】
すなわち、上記の課題を解決するために、本発明は、立体的な造形物を造形する造形装置であって、造形の材料をそれぞれ吐出する複数の吐出ヘッドと、前記吐出ヘッドの動作を制御する制御部とを備え、前記複数の吐出ヘッドとして、少なくとも、黒色の材料を吐出する黒色用ヘッドと、有彩色の着色用の材料を吐出する着色材料用ヘッドとを有し、前記制御部は、前記複数の吐出ヘッドに、前記造形物において外部から色彩を識別できる部分の少なくとも一部に、少なくとも前記着色用の材料を用いて着色される着色領域と、少なくとも前記黒色の材料を用いて黒色に着色される黒色領域とを形成させ、かつ、前記造形物の表面と垂直な法線方向における厚さについて、前記黒色領域を前記着色領域よりも厚く形成させる。
【００１１】
このように構成した場合、例えば、法線方向における黒色領域の厚さを適切かつ十分に確保できる。また、これにより、例えば、黒色領域における単位厚さあたりの色の濃さをある程度抑え、ある程度の光を透過するようにした場合にも、黒色領域の全体で光を十分に吸収できる。そのため、このように構成すれば、例えば、黒色領域において、深みのある黒色をより適切に表現できる。また、この場合、着色領域については、例えば、減法混色法で様々な色を適切に表現できる範囲の厚さで適切に形成してよい。そのため、このように構成すれば、例えば、黒色以外の様々な色についても、適切に表現できる。
【００１２】
ここで、この構成において、黒色とは、例えば、求められる着色の精度に応じて、実質的に黒色であればよい。また、黒色とは、例えば、光吸収性の無彩色の色である。また、この構成において、吐出ヘッドとは、例えばインクジェットヘッドである。また、造形の材料とは、例えばインクである。
【００１３】
また、黒色領域とは、例えば、表面における所定面積以上の部分が黒で塗りつぶされる領域である。また、黒色領域は、造形物において黒色に着色される部分のうち、ユーザや造形データにより指定される一部の領域であってよい。そのため、例えば着色領域の一部を黒色に着色する場合、その部分については、上記の黒色領域ではなく、着色領域の一部と考えてよい。また、着色領域について、着色用の材料を用いて着色されるとは、例えば、有彩色の着色用の材料に加え、黒色の材料を更に用いて着色される場合を含んでよい。
【００１４】
また、造形物において、着色領域の内側（造形物の内部側）には、光反射性の材料（例えば、白色のインク）を用いて、光反射領域を形成することが好ましい。この場合、内側とは、造形物の内部に近い側（造形物の内部側）のことである。このように構成すれば、例えば、減法混色法による色表現をより適切に行うことができる。また、この場合、黒色領域の内側には、光反射領域を形成しないことが考えられる。また、例えば、黒色領域の内側に、着色領域の内側と比べて薄い光反射領域を形成してもよい。
【００１５】
また、本発明の構成として、上記と同様の特徴を有する造形方法等を用いることも考えられる。この場合も、例えば、上記と同様の効果を得ることができる。また、この造形方法については、例えば、造形物の製造方法と考えることもできる。また、本発明の構成として、この造形装置又は造形方法で造形される造形物の構成を考えることもできる。
【発明の効果】
【００１６】
本発明によれば、例えば、造形物を造形する造形装置において、深みのある黒色をより適切に表現できる。
【図面の簡単な説明】
【００１７】
【図１】本発明の一実施形態に係る造形装置１０の一例を示す図である。図１（ａ）は、造形装置１０の要部の構成の一例を示す。図１（ｂ）は、造形装置１０のおけるヘッド部１２の構成の一例を示す。
【図２】造形装置１０により造形する造形物５０の構成の一例を示す図である。図２（ａ）は、造形物５０の構成の一例の断面図である。図２（ｂ）は、黒色領域３０８の特徴等について更に詳しく説明をする図である。図２（ｃ）は、黒色領域３０８の透過率について更に詳しく説明をする図である。
【図３】造形物５０の特徴について更に詳しく説明をする図である。図３（ａ）は、造形装置１０により造形する造形物５０の構成の他の例を示す。図３（ｂ）は、造形物５０の構成の変形例を示す。図３（ｃ）は、造形物５０の構成の更なる変形例を示す。
【図４】造形物５０の構成の更なる変形例について説明をする図である。図４（ａ）は、造形物５０の内部の色を光吸収性の色にする場合の構成の一例を示す。図４（ｂ）は、造形物５０の構成の更なる変形例を示す。
【発明を実施するための形態】
【００１８】
以下、本発明に係る実施形態を、図面を参照しながら説明する。図１は、本発明の一実施形態に係る造形装置１０の一例を示す。図１（ａ）は、造形装置１０の要部の構成の一例を示す。図１（ｂ）は、造形装置１０のおけるヘッド部１２の構成の一例を示す。
【００１９】
尚、以下に説明をする点を除き、造形装置１０は、公知の造形装置と同一又は同様の構成を有してよい。より具体的に、以下に説明をする点を除き、造形装置１０は、例えば、インクジェットヘッドを用いて造形物５０の材料となる液滴を吐出することで造形を行う公知の造形装置と同一又は同様の構成を有してよい。また、造形装置１０は、図示した構成以外にも、例えば、造形物５０の造形や着色等に必要な各種構成を更に備えてよい。
【００２０】
本例において、造形装置１０は、積層造形法により立体的な造形物５０を造形する造形装置（３Ｄ造形装置）である。この場合、積層造形法とは、例えば、複数の層を重ねて造形物５０を造形する方法である。造形物５０とは、例えば、立体的な三次元構造物のことである。また、本例において、造形装置１０は、ヘッド部１２、造形台１４、走査駆動部１６、及び制御部２０を備える。
【００２１】
ヘッド部１２は、造形物５０の材料を吐出する部分である。この場合、造形物５０の材料を吐出するとは、例えば、造形物５０の材料となるインクを吐出することである。また、インクとは、例えば、インクジェットヘッドから吐出する液体のことである。インクジェットヘッドとは、例えば、インクジェット方式でインクの液滴（インク滴）を吐出する吐出ヘッドのことである。
【００２２】
また、より具体的に、ヘッド部１２は、造形物５０の材料となる液滴として、複数のインクジェットヘッドから、所定の条件に応じて硬化するインクの液滴を吐出する。そして、着弾後のインクを硬化させることにより、造形物５０を構成する各層を重ねて形成する。また、本例では、インクとして、紫外線の照射により液体状態から硬化する紫外線硬化型インク（ＵＶインク）を用いる。
【００２３】
また、ヘッド部１２は、造形物５０の材料に加え、サポート層５２の材料を更に吐出する。また、これにより、造形装置１０は、造形物５０の周囲に、必要に応じて、サポート層５２を形成する。サポート層５２とは、例えば、造形中の造形物５０の外周を囲むことで造形物５０を支持する積層構造物のことである。サポート層５２は、造形物５０の造形時において、必要に応じて形成され、造形の完了後に除去される。また、ヘッド部１２のより具体的な構成については、後に詳しく説明をする。
【００２４】
造形台１４は、造形中の造形物５０を支持する台状部材であり、ヘッド部１２におけるインクジェットヘッドと対向する位置に配設され、造形中の造形物５０を上面に載置する。また、本例において、造形台１４は、少なくとも上面が積層方向（図中のＺ方向）へ移動可能な構成を有しており、走査駆動部１６に駆動されることにより、造形物５０の造形の進行に合わせて、少なくとも上面が移動する。この場合、積層方向とは、例えば、積層造形法において造形の材料が積層される方向のことである。また、より具体的に、本例において、積層方向は、主走査方向（図中のＹ方向）及び副走査方向（図中のＸ方向）と直交する方向（図中のＺ方向）である。
【００２５】
走査駆動部１６は、造形中の造形物５０に対して相対的に移動する走査動作をヘッド部１２に行わせる駆動部である。この場合、造形中の造形物５０に対して相対的に移動するとは、例えば、造形台１４に対して相対的に移動することである。また、本例において、走査駆動部１６は、主走査動作（Ｙ走査）、副走査動作（Ｘ走査）、及び積層方向走査（Ｚ走査）をヘッド部１２に行わせる。
【００２６】
ここで、ヘッド部１２に主走査動作を行わせるとは、例えば、ヘッド部１２が有するインクジェットヘッドに主走査動作を行わせることである。また、主走査動作とは、例えば、主走査方向へ移動しつつインクを吐出する動作である。本例において、走査駆動部１６は、主走査方向における造形台１４の位置を固定して、ヘッド部１２の側を移動させることにより、ヘッド部１２に主走査動作を行わせる。造形装置１０の構成の変形例においては、例えば、主走査方向におけるヘッド部１２の位置を固定して、例えば造形台１４を移動させることにより、造形物５０の側を移動させてもよい。
【００２７】
また、以下において詳しく説明をするように、本例において、ヘッド部１２は、紫外線光源を更に有する。そして、主走査動作時において、走査駆動部１６は、ヘッド部１２における紫外線光源の駆動を更に行う。より具体的に、走査駆動部１６は、例えば、主走査動作時に紫外線光源を点灯させることにより、造形物５０の被造形面に着弾したインクを硬化させる。造形物５０の被造形面とは、例えば、ヘッド部１２により次のインクの層が形成される面のことである。
【００２８】
また、ヘッド部１２に副走査動作を行わせるとは、例えば、ヘッド部１２が有するインクジェットヘッドに副走査動作を行わせることである。副走査動作とは、例えば、主走査方向と直交する副走査方向へ造形台１４に対して相対的に移動する動作である。副走査動作は、予め設定された送り量だけ副走査方向へ造形台１４に対して相対的に移動する動作であってよい。
【００２９】
また、本例において、走査駆動部１６は、主走査動作の合間に、ヘッド部１２に副走査動作を行わせる。この場合、走査駆動部１６は、例えば、副走査方向におけるヘッド部１２の位置を固定して、造形台１４を移動させることにより、ヘッド部１２に副走査動作を行わせる。また、走査駆動部１６は、副走査方向における造形台１４の位置を固定して、ヘッド部１２を移動させることにより、ヘッド部１２に副走査動作を行わせてもよい。また、走査駆動部１６は、造形しようとする造形物５０の大きさに応じて、必要な場合にのみヘッド部１２に副走査動作を行わせる。そのため、例えばサイズの小さな造形物５０を造形する場合等には、副走査動作を行わずに造形物５０を造形してもよい。
【００３０】
また、ヘッド部１２に積層方向走査を行わせるとは、例えば、ヘッド部１２が有するインクジェットヘッドに積層方向走査を行わせることである。また、積層方向走査とは、例えば、積層方向へヘッド部１２又は造形台１４の少なくとも一方を移動させることで造形物５０に対して相対的に積層方向へヘッド部１２を移動させる動作である。この場合、積層方向へヘッド部１２を移動させるとは、例えば、ヘッド部１２における少なくともインクジェットヘッドを積層方向へ移動させることである。また、積層方向へ造形台１４を移動させるとは、例えば、造形台１４における少なくとも上面の位置を移動させることである。
【００３１】
また、走査駆動部１６は、造形の動作の進行に合わせてヘッド部１２に積層方向走査を行わせることにより、ヘッド部１２におけるインクジェットヘッドと造形台１４との間の距離であるヘッド台間距離を変化させる。ヘッド台間距離とは、例えば、インクジェットヘッドにおいてノズル（ノズル孔）が形成されているノズル面と、造形台１４の上面との間の距離であってよい。また、より具体的に、本例において、走査駆動部１６は、積層方向におけるヘッド部１２の位置を固定して、造形台１４を移動させる。走査駆動部１６は、積層方向における造形台１４の位置を固定して、ヘッド部１２を移動させてもよい。
【００３２】
制御部２０は、例えば造形装置１０のＣＰＵであり、造形装置１０の各部を制御することにより、造形物５０の造形の動作を制御する。制御部２０は、例えば造形すべき造形物５０の形状情報や、カラー画像情報等に基づき、造形装置１０の各部を制御することが好ましい。本例によれば、造形物５０を適切に造形できる。
【００３３】
続いて、ヘッド部１２のより具体的な構成について、説明をする。本例において、ヘッド部１２は、複数のインクジェットヘッドを有する。それぞれのインクジェットヘッドは、造形の材料等をそれぞれ吐出する吐出ヘッドの一例であり、造形台１４と対向する面に、所定のノズル列方向へ複数のノズルが並ぶノズル列を有する。また、造形装置１０は、ヘッド部１２における複数のノズル列から材料を吐出することにより、造形物５０を造形する。
【００３４】
また、より具体的に、本例において、ヘッド部１２は、複数のインクジェットヘッド、複数の紫外線光源１０４、及び平坦化ローラ１０６を有する。また、複数のインクジェットヘッドとして、図１（ｂ）に示すように、インクジェットヘッド１０２ｓ、インクジェットヘッド１０２ｍｏ、インクジェットヘッド１０２ｗ、インクジェットヘッド１０２ｙ、インクジェットヘッド１０２ｍ、インクジェットヘッド１０２ｃ、インクジェットヘッド１０２ｋ、及びインクジェットヘッド１０２ｔを有する。これらの複数のインクジェットヘッドは、例えば、副走査方向における位置を揃えて、主走査方向へ並べて配設される。
【００３５】
インクジェットヘッド１０２ｓは、サポート層５２の材料を吐出するインクジェットヘッド（サポート層用ヘッド）である。本例において、サポート層５２の材料としては、造形物５０の材料よりも紫外線による硬化度が弱い紫外線硬化型インクを用いる。これにより、インクジェットヘッド１０２ｓは、サポート層５２の材料となる紫外線硬化型インクを、ノズル列における各ノズルから吐出する。
【００３６】
尚、上記においても説明をしたように、サポート層５２は、例えば、造形中の造形物５０の外周を囲むことで造形物５０を支持する。また、より具体的に、サポート層５２は、例えば、造形物５０のオーバーハング形状を下から支えることにより、オーバーハング部分を有する造形物５０の造形を可能にする。また、例えば、造形動作の開始前に、造形台１４における造形エリアにサポート層５２の材料を吐出し、サポート層５２を板状に形成すること等も考えられる。このように構成すれば、例えば、造形台１４の表面の凹凸を補正して、平面性をより適切に確保できる。サポート層５２の材料としては、造形物５０の造形後に水で溶解可能な水溶性の材料を用いることが好ましい。また、この場合、造形物５０を構成する材料よりも硬化度が弱く、分解しやすい材料を用いることが好ましい。また、サポート層５２の材料としては、例えば、サポート層用の公知の材料を好適に用いることができる。このように構成すれば、例えば、造形の完了後に溶解除去等によりサポート層５２を適切に除去できる。
【００３７】
インクジェットヘッド１０２ｍｏは、造形材インク（Ｍｏインク）を吐出するインクジェットヘッドであり、造形材インクを、ノズル列における各ノズルから吐出する。この場合、造形材インクとは、例えば、造形物５０の内部（内部領域）の造形に用いる造形専用のインクである。
【００３８】
尚、造形物５０の内部については、造形材インクに限らず、他の色のインクを更に用いて形成してもよい。また、例えば、造形材インクを用いずに、他の色のインク（例えば白色のインク等）のみで造形物５０の内部を形成することも考えられる。この場合、ヘッド部１２において、インクジェットヘッド１０２ｍｏを省略してもよい。
【００３９】
インクジェットヘッド１０２ｗは、白色（Ｗ）のインクを吐出するインクジェットヘッドであり、白色のインクを、ノズル列における各ノズルから吐出する。また、本例において、白色のインクは、光反射性の材料の一例であり、例えば造形物５０において光を反射する性質の領域（光反射領域）を形成する場合に用いられる。この光反射領域は、例えば、造形物５０表面に対して減法混色によるフルカラー表現での着色を行う場合に、造形物５０の外部から入射する光を反射する。フルカラー表現とは、例えば、プロセスカラーのインクによる減法混色の可能な組み合わせで行う色の表現のことである。また、本例において、インクジェットヘッド１０２ｗは、光反射性の材料を吐出する光反射材料用ヘッドの一例である。
【００４０】
インクジェットヘッド１０２ｙ、インクジェットヘッド１０２ｍ、インクジェットヘッド１０２ｃ、インクジェットヘッド１０２ｋ（以下、インクジェットヘッド１０２ｙ〜ｋという）は、着色された造形物５０の造形時に用いる加飾用のインクジェットヘッド（加飾用ヘッド）であり、着色に用いる複数色のインク（加飾インク）のそれぞれのインクを、ノズル列における各ノズルからそれぞれ吐出する。より具体的に、インクジェットヘッド１０２ｙは、イエロー色（Ｙ色）のインクを吐出する。インクジェットヘッド１０２ｍは、マゼンタ色（Ｍ色）のインクを吐出する。インクジェットヘッド１０２ｃは、シアン色（Ｃ色）のインクを吐出する。また、インクジェットヘッド１０２ｋは、ブラック色（Ｋ色）のインクを吐出する。また、この場合、ＹＭＣＫの各色は、フルカラー表現に用いるプロセスカラーの一例である。
【００４１】
また、本例において、ＹＭＣの各色のインクは、有彩色の着色用の材料の一例である。黒色（Ｋ色）のインクは、黒色の材料の一例である。また、加飾用のインクジェットヘッドのうち、インクジェットヘッド１０２ｙ、インクジェットヘッド１０２ｍ、インクジェットヘッド１０２ｃは、有彩色の着色用の材料を吐出する着色材料用ヘッドの一例である。インクジェットヘッド１０２ｋは、黒色の材料を吐出する黒色用ヘッドの一例である。また、インクジェットヘッド１０２ｋは、光吸収性の材料を吐出する光吸収性材料用ヘッドの一例でもある。
【００４２】
インクジェットヘッド１０２ｔは、クリアインクを吐出するインクジェットヘッドであり、クリアインクを、ノズル列における各ノズルから吐出する。クリアインクとは、例えば、無色の透明色（Ｔ）であるクリア色のインクのことである。また、本例において、クリアインクは、透光性の材料の一例である。インクジェットヘッド１０２ｔは、透光性の材料を吐出する透光性材料用ヘッドの一例である。
【００４３】
複数の紫外線光源１０４は、インクを硬化させるための光源（ＵＶ光源）であり、紫外線硬化型インクを硬化させる紫外線を発生する。また、本例において、複数の紫外線光源１０４のそれぞれは、間にインクジェットヘッドの並びを挟むように、ヘッド部１２における主走査方向の一端側及び他端側のそれぞれに配設される。紫外線光源１０４としては、例えば、ＵＶＬＥＤ（紫外ＬＥＤ）等を好適に用いることができる。また、紫外線光源１０４として、メタルハライドランプや水銀ランプ等を用いることも考えられる。
【００４４】
平坦化ローラ１０６は、造形物５０の造形中に形成されるインクの層を平坦化するための構成である。平坦化ローラ１０６は、例えば主走査動作時において、インクの層の表面と接触して、硬化前のインクの一部を除去することにより、インクの層を平坦化する。
【００４５】
以上のような構成のヘッド部１２を用いることにより、造形物５０を構成するインクの層を適切に形成できる。また、複数のインクの層を重ねて形成することにより、造形物５０を適切に造形できる。
【００４６】
尚、ヘッド部１２の具体的な構成については、上記において説明をした構成に限らず、様々に変形することもできる。例えば、ヘッド部１２は、着色用のインクジェットヘッドとして、インクジェットヘッド１０２ｙ〜ｋに加え、各色の淡色や、Ｒ（赤）Ｇ（緑）Ｂ（青）やオレンジ等の色用のインクジェットヘッド等を更に有してもよい。また、ヘッド部１２における複数のインクジェットヘッドの並べ方についても、様々に変形可能である。例えば、一部のインクジェットヘッドについて、他のインクジェットヘッドと副走査方向における位置をずらしてもよい。
【００４７】
続いて、本例において造形装置１０により造形する造形物５０の構成について、説明をする。図２は、造形装置１０により造形する造形物５０の構成の一例を示す。図２（ａ）は、造形物５０の構成の一例の断面図であり、副走査方向（Ｘ方向）と垂直な平面による造形物５０の断面の一例を簡略化して示す。
【００４８】
尚、図示は省略したが、造形時において、造形装置１０は、必要に応じて、造形物５０の周囲にサポート層５２（図１参照）を形成する。また、例えば主走査方向や積層方向と垂直な平面による断面も、図２（ａ）に示した場合と同様の領域構成になる。
【００４９】
本例において、造形装置１０は、外部から色彩を識別できる部分の少なくとも一部が着色された造形物５０を造形可能である。また、このような着色された造形物５０を造形する場合において、造形装置１０は、例えば図示した構成のように、内部領域３０２、光反射領域３０４、着色領域３０６、及び黒色領域３０８を有する造形物５０を造形する。また、この場合、造形装置１０の制御部２０（図１参照）は、ヘッド部１２（図１参照）の各インクジェットヘッドに各種のインクを吐出させることにより、造形物５０の各領域を形成させる。
【００５０】
内部領域３０２は、造形物５０の内部を構成する領域である。また、内部領域３０２については、例えば、造形物５０の形状を構成する領域と考えることもできる。本例において、造形装置１０は、例えば、インクジェットヘッド１０２ｍｏ（図１参照）から吐出する造形材インクの層を重ねて形成することにより、内部領域３０２を形成する。また、造形装置１０は、例えば、インクジェットヘッド１０２ｍｏ以外のインクジェットヘッドを併用することにより、造形材インク以外のインクを更に用いて内部領域３０２を形成してもよい。また、造形装置１０の構成の変形例においては、例えば、インクジェットヘッド１０２ｍｏを用いずに、インクジェットヘッド１０２ｗ（図１参照）から吐出する白色のインク等で内部領域３０２を形成すること等も考えられる。この場合、内部領域３０２と光反射領域３０４とを区別せずに、両方を合わせた領域を形成してもよい。
【００５１】
光反射領域３０４は、光反射性のインクを用いて形成される光反射性の領域である。本例において、造形装置１０は、例えば、インクジェットヘッド１０２ｗから吐出する白色のインクの層を重ねて形成することにより、光反射領域３０４を形成する。また、この場合、図中に示すように、造形装置１０は、内部領域３０２の周囲を囲むように、光反射領域３０４を形成する。また、より具体的に、本例において、造形装置１０は、内部領域３０２の外側のうち、黒色領域３０８を形成する部分以外の位置に対し、光反射領域３０４を形成する。この場合、外側とは、造形物５０の外部に近い側（造形物５０の外部側）のことである。また、この場合、光反射領域３０４の更に外側には、着色領域３０６が形成される。このように構成した場合、例えば、着色領域３０６よりも内側に光反射領域３０４を形成することで、減法混色法でのフルカラー表現を適切に行うことができる。また、これにより、例えば、着色された造形物５０を適切に造形できる。
【００５２】
光反射領域３０４の厚さは、例えば、１００μｍ〜１ｍｍ程度で均一の厚さにすることが好ましい。この場合、領域の厚さとは、例えば、造形物５０の表面と垂直な法線方向の厚さのことである。また、本例において、造形装置１０は、白色のインクのみを用いて、光反射領域３０４を形成する。造形装置１０の構成の変形例において、例えばより高速に造形を行う場合等には、白色のインク以外にクリアインクを更に用いて光反射領域３０４を形成すること等も考えられる。
【００５３】
着色領域３０６は、造形物５０の表面において着色がされる領域である。この場合、造形物５０の表面とは、例えば、造形物５０において外部から色彩を識別できる部分のことである。本例において、着色領域３０６は、黒色以外の色が着色可能な領域である。また、着色領域３０６は、有彩色の着色用の材料を用いて着色される領域の一例である。
【００５４】
また、造形装置１０は、例えば、インクジェットヘッド１０２ｙ〜ｋ（図１参照）から吐出するＹＭＣＫの各色のインクと、インクジェットヘッド１０２ｔ（図１参照）から吐出するクリアインクとを用いて、所望の色に着色されたインクの層を形成する。また、このインクの層を重ねて形成することにより、着色領域３０６を形成する。
【００５５】
このように構成した場合、例えば、ＹＭＣＫの各色のインクに加えてクリアインクを用いることにより、表現する色の違いによるＹＭＣＫインクの使用量の変化分を補填することができる。また、これにより、例えば、着色領域３０６を構成するそれぞれのインクの層を一定の厚さで適切に形成できる。そのため、本例によれば、例えば、フルカラー表現をより適切に行うことができる。着色領域３０６の厚さは、例えば５０〜５００μｍ程度（例えば、３００μｍ程度）で均一の厚さにすることが好ましい。また、着色領域３０６の厚さは、例えば２５０μｍ未満であってよい。また、例えば着色により描かれる画像の解像度をより適切に高めるためには、１５０μｍ以下にすることがより好ましい。
【００５６】
また、本例において、造形装置１０は、造形物５０の表面において黒色領域３０８が形成される部分以外の位置に対し、着色領域３０６を形成する。また、これにより、光反射領域３０４の外側の全体を覆うように着色領域３０６を形成する。造形装置１０の構成の変形例においては、例えば、光反射領域３０４の一部の外側に着色領域３０６を形成してもよい。
【００５７】
黒色領域３０８は、造形物５０の表面において黒色に着色がされる領域である。この場合、黒色領域３０８が黒色に着色がされるとは、例えば、着色領域３０６の一部において黒色に着色される場合とは異なる条件で黒色に塗りつぶすように着色がされることである。そのため、黒色領域３０８は、例えば、造形物５０において黒色に着色される部分のうち、ユーザや造形データにより指定される一部の領域であってよい。また、黒色領域３０８は、黒色の材料を用いて黒色に着色される領域の一例である。黒色領域３０８は、例えば、表面における所定面積以上の部分が黒で塗りつぶされる領域であってよい。
【００５８】
また、本例において、黒色とは、例えば、求められる着色の精度に応じて、実質的に黒色であればよい。また、より具体的に、本例において、黒色領域３０８は、ピアノブラック色に着色される領域である。この場合、ピアノブラック色とは、例えば、光沢性で深みのある黒色のことである。また、反対に、より一般化して考えた場合、黒色について、例えば、光吸収性の無彩色の色と考えることもできる。そのため、黒色領域３０８については、光吸収性の材料で形成される光吸収性領域と考えることもできる。
【００５９】
また、本例において、造形装置１０は、例えば図中に示すように、着色領域３０６とは異なる厚さで黒色領域３０８を形成することにより、着色領域３０６と区別された状態で黒色領域３０８を形成する。より具体的に、図示した場合において、造形装置１０は、内部領域３０２の外側において光反射領域３０４が形成されていない領域の外側に、黒色領域３０８を形成する。また、この場合、インクジェットヘッド１０２ｋ（図１参照）に加えてインクジェットヘッド１０２ｔを用い、黒色のインク及びクリアインクで黒色領域３０８を形成する。より具体的に、この場合、制御部２０は、インクジェットヘッド１０２ｋに黒色のインクを吐出させ、インクジェットヘッド１０２ｔにクリアインクを吐出させることにより、インクジェットヘッド１０２ｋ及びインクジェットヘッド１０２ｔに黒色領域３０８を形成させる。このように構成すれば、例えば、黒色のインクのみで黒色領域３０８を形成する場合と比べて薄い黒色で黒色領域３０８を形成できる。この場合、薄い黒色で黒色領域３０８形成するとは、例えば、単位厚さに対する透過率がより大きくなるような黒色で黒色領域３０８を形成することである。
【００６０】
また、造形装置１０は、更に、法線方向における厚さについて、黒色領域３０８を着色領域３０６よりも厚く形成する。より具体的に、図示した場合において、黒色領域３０８の厚さは、光反射領域３０４と着色領域３０６とを重ねた厚さと等しくなっている。このように構成すれば、例えば、造形物５０の表面において着色領域３０６と黒色領域３０８との間に段差が生じること等を適切に防ぎつつ、厚い黒色領域３０８を適切に形成できる。
【００６１】
図２（ｂ）は、黒色領域３０８の特徴等について更に詳しく説明をする図である。上記においても説明をしたように、本例において、造形装置１０は、造形物５０の表面の少なくとも一部に、着色領域３０６及び黒色領域３０８を形成する。また、法線方向における厚さについて、着色領域３０６よりも黒色領域３０８を厚く形成する。このように構成した場合、例えば、法線方向における黒色領域３０８の厚さを適切かつ十分に確保できる。また、これにより、例えば、黒色領域３０８における単位厚さあたりの色の濃さをある程度抑え、ある程度の光を透過するようにした場合にも、黒色領域３０８の全体で光を十分に吸収できる。また、より具体的に、本例においては、上記においても説明をしたように、黒色のインクに加えてクリアインクを更に使用して黒色領域３０８を形成することにより、黒色のインクのみで形成する場合よりも薄い黒色で黒色領域３０８を形成する。
【００６２】
このように構成した場合、例えば、濃い黒色で黒色領域３０８を形成する場合と比べ、外部から入射する光について、黒色領域３０８のより奥にまで到達させることができる。また、黒色領域３０８の厚さを十分に大きくすることにより、黒色領域３０８の全体により、光を十分に吸収させることができる。そのため、本例によれば、例えば、濃い黒色の着色を行って表層部のみにほぼ全ての光を吸収させる場合等と比べ、黒色領域３０８において、深みのある黒色をより適切に表現できる。
【００６３】
ここで、深い黒色を表現することのみを考えた場合、必ずしも黒色領域３０８を着色領域３０６よりも厚くせずに、着色領域３０６も黒色領域３０８と同様に厚く形成すればよいようにも思われる。しかし、着色領域３０６の場合、法線方向の厚さを大きくすると、例えば色のくすみ等が発生し、着色後の見栄えが低下するおそれもある。そのため、着色領域３０６については、必要以上に厚くせず、例えばフルカラーの着色を行う場合に適した厚さで形成することが好ましい。
【００６４】
これに対し、本例によれば、着色領域３０６について、例えば、減法混色法で様々な色を適切に表現できる範囲の厚さで適切に形成できる。また、これにより、例えば、黒色以外の様々な色についても、高い精度でより適切に表現できる。
【００６５】
また、より具体的に、法線方向における黒色領域３０８の厚さは、例えば２５０μｍ以上、好ましくは３００μｍ以上である。また、法線方向における黒色領域３０８と黒色領域３０８との厚さの差は、例えば５０μｍ以上にすることが好ましい。また、この厚さの差は、より好ましくは、１００μｍ以上である。
【００６６】
また、上記においても説明をしたように、本例においては、黒色のインクとクリアインクとを用いて、黒色領域３０８を形成する。この場合、黒色のインクとしては、例えば、色材として黒色の顔料を含むインクを好適に用いることができる。このように構成すれば、例えば着色領域３０６内での着色等で黒色のインクを単独で用いる場合において、濃い黒色をより適切に表現できる。また、クリアインクと併せて用いることにより、黒色領域３０８の形成に適した薄い黒色についても、適切に表現できる。
【００６７】
また、上記においても説明をしたように、本例においては、着色領域３０６の形成時にも、ＣＭＹＫの各色のインクに加え、クリアインクを更に用いる。より具体的に、この場合、制御部２０は、インクジェットヘッド１０２ｙ〜ｋ及びインクジェットヘッド１０２ｔにそれぞれのインクを吐出させることにより、着色領域３０６を形成させる。
【００６８】
そして、この場合において、本例では、例えば、黒色領域３０８におけるクリアインクの含有比率が着色領域３０６におけるクリアインクの含有比率よりも多くなるように、ヘッド部１２における複数のインクジェットヘッドに黒色領域３０８及び着色領域３０６を形成させる。この場合、領域におけるクリアインクの含有比率とは、例えば、その領域を構成するインクの中でクリアインクが占める割合のことである。また、クリアインクが占める割合とは、例えば、重量比での割合であってよい。このように構成すれば、例えば、薄い黒色で黒色領域３０８を適切に形成できる。
【００６９】
尚、黒色領域３０８におけるクリアインクの含有比率については、クリアインクと共に用いる黒色のインクの濃さに応じて適宜設定することが好ましい。また、この場合、黒色のインクの濃さは、例えば使用する顔料の種類等により異なる。そのため、着色領域３０６と比較したクリアインクの含有比率の差は、使用する具体的なインクによって異なってよい。
【００７０】
また、使用する黒色のインクの濃さによっては、黒色領域３０８におけるクリアインクの含有量を着色領域３０６よりも少なくすること等も考えられる。より具体的に、例えば、造形装置１０の変形例においては、黒色領域３０８の形成に用いる専用のインクジェットヘッドを更に用いることも考えられる。そして、この場合、例えば、着色領域３０６と黒色領域３０８とで同じ黒色のインクを用いるのではなく、黒色領域３０８の形成に専用の黒色のインクを用いる。また、この場合、着色領域３０６の形成時に用いる通常の黒色のインクよりも薄い黒色のインクを黒色領域３０８の形成時に用いることも考えられる。このような場合には、例えば、上記のように、黒色領域３０８におけるクリアインクの含有比率を着色領域３０６より少なくしてもよい。また、この場合、クリアインクを用いずに、黒色領域３０８用の黒色のインクのみを用いて黒色領域３０８を形成してもよい。
【００７１】
また、上記においても説明をしたように、本例においては、薄い黒色のインクを用いて、全体の厚みが十分に厚い黒色領域３０８を形成することにより、深みのある黒色の表現を実現している。そして、この場合、例えば、黒色領域３０８については、所定の厚さ（例えば、単位厚さ）の部分に対する透過率が十分に大きく、かつ、黒色領域３０８の全体に対する透過率が十分に小さくなるように形成することが好ましい。
【００７２】
図２（ｃ）は、黒色領域３０８の透過率について更に詳しく説明をする図であり、法線方向が積層方向（Ｚ方向）と平行となる位置における黒色領域３０８の様子の一例を簡略化して、周囲の光反射領域３０４及び着色領域３０６と共に示す。上記においても説明をしたように、本例において、造形装置１０は、積層造形法で造形物５０を造形する。また、この場合、造形物５０の各位置の断面に対応する複数のスライスデータに基づき、各スライスデータに対応するインクの層を重ねて形成することにより、造形物５０を造形する。
【００７３】
例えば、本例において、造形装置１０は、黒色のインクとクリアインクとで形成されるインクの層４０４を重ねることにより、黒色領域３０８を形成する。この場合、積層されるそれぞれの層４０４は、同じ濃さの黒色に着色された層であってよい。また、ＹＭＣＫの各色のインクとクリアインクとで形成されるインクの層４０２を重ねて形成することにより、着色領域３０６を形成する。この場合、層４０２及び層４０４は、一つのスライスデータに対応して形成される１層のインクの層内の領域である。
【００７４】
そして、この場合において、黒色領域３０８の透過率については、一つの層４０４の透過率と、黒色領域３０８全体での透過率とについて、それぞれ適切な範囲に設定することが好ましい。より具体的に、黒色領域３０８において、一つのスライスデータに対応して形成される１層分の領域である一つの層４０４に対する透過率については、４０％以上にすることが好ましい。この場合、一つの層４０４に対する透過率とは、積層方向における光の透過率である。また、この透過率は、例えば、白色の自然光の透過率であってよい。また、一つの層４０４に対する透過率は、好ましくは６５％以上である。
【００７５】
また、黒色領域３０８全体での透過率については、１０％以下にすることが好ましい。この場合、黒色領域３０８全体での透過率とは、法線方向における黒色領域３０８の透過率のことである。また、黒色領域３０８全体での透過率は、より好ましくは５％以下、更に好ましくは１％以下である。このように構成すれば、例えば、１層のみでは濃度が低いインクの層４０４を積層する構成により、深みのある黒色を適切に表現できる。
【００７６】
ここで、上記のように、図２（ｃ）においては、法線方向が積層方向と平行となる位置における黒色領域３０８等の様子を示している。そのため、この場合、黒色領域３０８全体での透過率は、積層方向における透過率になる。そして、この場合、黒色領域３０８全体での透過率を十分に小さくするためには、図示した構成のように、多数の層４０４を重ねて形成することが必要になる。また、本例においては、法線方向における黒色領域３０８の厚さを着色領域３０６よりも厚くすることにより、より多くの層４０４を積層することが可能になっている。そのため、本例によれば、例えば、１層のみでは濃度が低いインクの層４０４を用いて、黒色領域３０８全体での透過率を適切に調整できる。
【００７７】
また、造形物５０においては、例えば、法線方向が積層方向と平行にならない位置に黒色領域３０８を形成する場合もある。このような場合にも、１層のみでは濃度が低いインクの層４０４を用いて黒色領域３０８を形成することにより、単位厚さに対する透過率を適切に高めることができる。また、法線方向における黒色領域３０８の厚みを十分に厚くすることにより、黒色領域３０８全体での透過率を適切に調整できる。そのため、このように構成すれば、例えば、法線方向が積層方向と平行にならない位置の黒色領域３０８においても、深みのある黒色を適切に表現できる。
【００７８】
尚、深みのある黒色をより適切に表現するためには、黒色領域３０８の透過率に加え、黒色領域３０８での光の吸収率等についても適切に設定する必要がある。より具体的に、黒色領域３０８全体での光の吸収率については、求められる色の精度等に応じて、適切に黒色を表現できるように、十分に大きくすることが好ましい。これに対し、本例においては、濃度が低いインクの層４０４を多数重ねて黒色領域３０８を形成することにより、黒色領域３０８全体での光の吸収率を適切に高めることができる。
【００７９】
また、黒色領域３０８により表現される黒色の見え方は、例えば、光沢性の有無等によっても変化する。また、色の光沢性は、例えば造形物５０の表面の状態の影響を大きく受ける。そのため、例えばピアノブラック色等の光沢性の黒色を表現する場合、少なくとも黒色領域３０８が形成される領域での造形物５０の表面について、グロス状の平滑な状態で形成することが好ましい。また、深みのある黒色としては、ピアノブラック色等の光沢性の黒色以外に、つや消しの黒色等を表現したい場合もある。このような場合には、造形物５０の表面について、マット状の状態で形成することが考えられる。
【００８０】
続いて、本例において造形する造形物５０の特徴について、補足説明や変形例の説明等を行う。図３は、造形物５０の特徴について更に詳しく説明をする図である。尚、以下に説明をする点を除き、図３において、図１及び図２と同じ符号を付した構成は、図１及び図２における構成と同一又は同様の特徴を有してよい。
【００８１】
図３（ａ）は、造形装置１０により造形する造形物５０の構成の他の例を示す。図２（ａ）においては、図示及び説明の便宜上、外周面が平面状の形状の造形物５０を図示した。この場合、造形物５０の法線方向は、外周面を構成する平面と垂直な方向になる。
【００８２】
しかし、造形装置１０においては、外周面が平面状の形状の造形物５０に限らず、様々な形状の造形物５０を造形してよい。例えば、図３（ａ）においては、球形状の造形物５０について、構成の一例を図示している。このような場合、造形物５０の外周面は、曲面状になる。また、造形物５０の法線方向は、例えば図中に矢印で示すように、造形物５０の各位置において表面と直交する方向になる。この場合も、薄い黒色で十分に厚い黒色領域３０８を形成することにより、深みのある黒色を適切に表現できる。
【００８３】
尚、造形物５０の各位置において表面と直交する方向とは、例えば、各位置での接平面と直交する方向である。また、この場合、造形物５０の法線方向とは、造形に求められる精度等に応じて、実質的に法線方向と見なせる方向であってよい。
【００８４】
また、造形装置１０の造形動作の変形例においては、造形物５０を構成する領域として、上記において説明をした各領域以外の領域を更に形成すること等も考えられる。より具体的には、例えば、光反射領域３０４と着色領域３０６との間に分離領域を形成すること等が考えられる。この場合、分離領域とは、例えば、クリアインクで形成される透明な領域であり、光反射領域３０４を構成する白色のインクと着色領域３０６を構成する各色のインクとが混ざることを防止する。
【００８５】
また、例えば着色領域３０６及び黒色領域３０８の外側に、透明な保護領域を更に形成すること等も考えられる。この場合、保護領域とは、例えば、クリアインクで形成される透明な領域であり、着色領域３０６及び黒色領域３０８の外側を覆うことで着色領域３０６及び黒色領域３０８を保護する。
【００８６】
また、この場合、黒色領域３０８の外側を覆う透明な領域を形成することにより、黒色領域３０８で表現される黒色について、より深みのある印象を与えること等もできる。また、例えば保護領域の表面をグロス状の平滑な状態で形成することにより、ピアノブラック等の光沢性の黒色をより適切に表現すること等も可能になる。
【００８７】
また、黒色領域３０８の外側を覆う透明な領域については、造形装置１０で造形時に形成するのではなく、例えば、塗装等の方法（クリアコート）で形成することも考えられる。この場合、例えば、造形装置１０での造形時には造形物５０の表面をマット状の状態にしておき、その表面に対して透明な材料によりグロス状の塗装（グロス塗装）をすることが考えられる。このように構成した場合も、黒色領域３０８に対して光沢感を付与して、ピアノブラック等の光沢性の黒色を適切に表現できる。
【００８８】
また、造形物５０に求められる品質によっては、表面をマット状にすることが望まれる場合もある。このような場合には、例えば、造形物５０の表面に対して透明な材料によりマット状の塗装（マット塗装）をすることも考えられる。このように構成した場合も、所望の品質の造形物５０を適切に造形できる。また、この場合、例えば、マット塗装をする前の状態である造形装置１０での造形時には、造形物５０の表面をグロス状の状態にしてもよい。
【００８９】
また、上記においては、黒色領域３０８の構成について、主に、同じ濃さのインクの層を重ねて均一に着色する場合の構成等を説明した。しかし、黒色領域３０８内での黒色の濃さについては、必ずしも均一ではなく、例えば法線方向における位置に応じて異ならせてもよい。
【００９０】
図３（ｂ）は、造形物５０の構成の変形例を示す。この場合、造形装置１０は、積層方向において複数の領域３１０ａ、ｂに分かれた黒色領域３０８を形成する。また、領域３１０ａ、ｂは、例えばクリアインクの含有比率を異ならせることで、それぞれ異なる濃さの黒色に着色された領域である。このように構成した場合も、薄い黒色で十分に厚い黒色領域３０８を形成することにより、深みのある黒色を適切に表現できる。
【００９１】
また、この場合、外側の領域３１０ｂの黒色の濃度について、内側の領域３１０ａよりも薄い濃度にすることが好ましい。このように構成すれば、深みのある黒色をより適切に表現できる。また、黒色領域３０８を分ける領域の数については、より多くしてもよい。また、この場合、例えば、複数の領域の黒色の濃さについて、例えば、造形物５０におけるより外側の領域での黒色の濃度がより内側の領域よりも薄くなるように、グラデーション状に変化させてもよい。また、この場合、例えば、最も外側の一つ又は複数の領域について、クリアインクで形成される無色透明の領域にしてもよい。
【００９２】
また、上記においては、主に、黒色領域３０８の内側には光反射領域３０４を形成せずに、着色領域３０６の内側にのみ光反射領域３０４を形成する場合の構成等を説明した。しかし、造形物５０の構成の更なる変形例においては、黒色領域３０８の内側にも光反射領域３０４を形成してもよい。
【００９３】
図３（ｃ）は、造形物５０の構成の更なる変形例を示す図であり、黒色領域３０８の内側にも光反射領域３０４を形成する場合の造形物５０の構成の一例を示す。この場合、造形装置１０は、法線方向における厚さについて、着色領域３０６と黒色領域３０８との厚さの差に応じて、着色領域３０６の内側と黒色領域３０８との内側とで光反射領域３０４の厚さを異ならせる。この場合、制御部２０（図１参照）は、ヘッド部１２における複数のインクジェットヘッドに、着色領域３０６及び黒色領域３０８を、光反射領域３０４の少なくとも一部の外側に形成させる。そして、法線方向における光反射領域３０４の厚さについて、法線方向において黒色領域３０８と重なる部分の厚さを、法線方向において着色領域３０６と重なる部分の厚さよりも小さくする。また、より具体的に、この場合、図示した構成のように、黒色領域３０８と光反射領域３０４とを合わせた厚さについて、着色領域３０６と光反射領域３０４とを合わせた厚さと等しくなるように調整することが好ましい。
【００９４】
このように構成すれば、例えば、法線方向における厚さが異なる着色領域３０６及び黒色領域３０８について、光反射領域３０４の外側に適切に形成できる。また、これにより、例えば、深みのある黒色を適切に表現できる。
【００９５】
また、上記においては、主に、カラー表現に用いるプロセスカラーの１色として用いる黒色のインクを用いて黒色領域３０８を形成する場合について、説明をした。しかし、造形装置１０の構成の変形例においては、図２に関連して上記においても簡単に説明をしたように、プロセスカラー用の黒色のインクとは別に、黒色領域３０８の形成に用いる薄い黒色のインクを更に用いてもよい。この場合、ヘッド部１２は、プロセスカラー用の黒色よりも薄い黒色のインクを吐出するインクジェットヘッドを更に有する。また、この場合、クリアインクと併用しなくても薄い黒色を表現できるため、黒色領域３０８を構成するインクの層について、クリアインクを用いずに、この薄い黒色のインクのみで形成してもよい。
【００９６】
また、このような薄い黒色のインクとしては、例えば、色材として黒色の染料を含むインク等を用いることが考えられる。このように構成した場合も、薄い黒色で十分に厚い黒色領域３０８を形成することにより、深みのある黒色を適切に表現できる。
【００９７】
また、本例の特徴について、より一般化して考えた場合、本例と同様の構成により、黒色に限らず、その他の光吸収性の色について、深みのある色を表現することも考えられる。この場合、光吸収性の色とは、例えば、いずれかの有彩色と黒色との混色により得られる色や、濃い灰色等の色である。また、光吸収性の色は、明度の低い色であってよい。このような場合も、黒色に代えて他の光吸収性の色を用いて、黒色領域３０８に対応する領域を形成することで、深みのある色を表現することができる。
【００９８】
また、黒色領域３０８等において深みのある濃い黒色等をより適切に表現するためには、例えば、造形物５０の内部の色についても考慮することが好ましい場合がある。より具体的には、例えば、サイズの小さな造形物５０を造形する場合や、薄い部分を有する造形物５０を形成する場合、造形物５０を観察する視線に対する造形物５０の裏側から入射した光が造形物５０を透過して、造形物５０の色の見え方に影響を与える場合もある。そのため、造形物５０の構成の更なる変形例においては、このような透過光の影響をより適切に抑え得る構成を用いること等も考えられる。
【００９９】
図４は、造形物５０の構成の更なる変形例について説明をする図であり、造形物５０の内部の色を光吸収性の色にする場合の構成の例を示す。尚、以下に説明をする点を除き、図４において、図１〜３と同じ符号を付した構成は、図１〜３における構成と同一又は同様の特徴を有してよい。
【０１００】
図４（ａ）は、造形物５０の内部の色を光吸収性の色にする場合の構成の一例を示す図であり、図１〜３を用いて説明をした場合と同一又は同様に黒色領域３０８を形成する場合について、造形物５０の構成の一例を示す。この場合、制御部２０（図１参照）は、ヘッド部１２（図１参照）における複数のインクジェットヘッドに、光吸収性の色で内部領域３０２を形成させる。そして、着色領域３０６及び黒色領域３０８を、内部領域３０２の外側に形成させる。また、これにより、内部に黒色の餡を挟んでいるような構成（あん包み方式）で、造形物５０を造形する。
【０１０１】
このように構成した場合、例えば、内部領域３０２を光吸収性の色で形成することにより、造形物５０の内部を通過して反対側へ抜ける光の影響を適切に抑えることができる。また、これにより、例えば、黒色領域３０８において深みのある濃い黒色をより適切に表現することができる。また、この場合、着色領域３０６についても、造形物５０の裏面側の色等の影響を適切に抑えることができる。また、これにより、着色領域３０６についても、より適切に様々な色を表現できる。
【０１０２】
ここで、この構成において、内部領域３０２は、例えば黒色に形成することが好ましい。このように構成すれば、例えば、光吸収性の内部領域３０２を適切に形成できる。また、この場合、例えば、黒色のインク用のインクジェットヘッド１０２ｋ（図１参照）を用いて、内部領域３０２を形成することが考えられる。また、内部領域３０２の色については、例えば、黒色のインクで着色される黒色ではなく、Ｙ（イエロー）色、Ｍ（マゼンタ）色、及びＣ（シアン）色の混色で表現される実質的な黒色に着色してもよい。この場合、例えば、ＹＭＣの各色用のインクジェットヘッド１０２ｙ〜ｋ（図１参照）を用いて、内部領域３０２を形成する。また、この場合、インクジェットヘッド１０２ｋ等を更に用いて内部領域３０２を形成してもよい。また、図１等を用いて説明をしたヘッド部１２のように、造形材インク用のインクジェットヘッド１０２ｍｏ（図１参照）を用いる場合、黒色等の光吸収性の色の造形材インクを用いることも考えられる。
【０１０３】
以上のように構成すれば、例えば、光吸収性の色で内部領域３０２を適切に形成できる。また、これにより、造形物５０の内部を通過して反対側へ抜ける光の影響を適切に抑えることができる。また、この場合も、黒色領域３０８の内側については、光反射領域３０４を形成しないことが好ましい。このように構成すれば、深い黒色をより適切に形成できる。また、この場合も、着色領域３０６と内部領域３０２との間には、光反射領域３０４を形成することが好ましい。このように構成すれば、例えば、着色領域３０６において様々な色をより適切に表現できる。
【０１０４】
ここで、黒色領域３０８を法線方向に厚くして深い黒色を表現しようとする場合、図４（ａ）に示すように、内部領域３０２と黒色領域３０８とが隣接するようにして、黒色等の光吸収性の領域が造形物５０の内側から表面へ向けて連続的につながるようにすることが好ましい。しかし、造形物５０の内部を通過して反対側へ抜ける光の影響を抑えるという点に着目した場合、造形物５０の構成を更に異ならせることも考えられる。
【０１０５】
図４（ｂ）は、造形物５０の構成の更なる変形例を示す。この場合も、図４（ａ）に示した場合と同様に、光吸収性の色で内部領域３０２を形成する。また、黒色領域３０８の内側については、光反射領域３０４を形成しない。また、着色領域３０６と内部領域３０２との間には、光反射領域３０４を形成する。
【０１０６】
また、この場合、法線方向における黒色領域３０８の厚さについては、光反射領域３０４と着色領域３０６とを合わせた厚さよりも小さくてもよい。例えば、図４（ｂ）においては、法線方向における黒色領域３０８の厚さを着色領域３０６と同じにした場合の構成を図示している。そして、黒色領域３０８と内部領域３０２との間には、黒色領域３０８とは別の領域３１２を更に形成する。この場合、領域３１２としては、例えば、クリアインクで形成される透明な領域を形成すること等が考えられる。このように構成した場合も、光吸収性の色で内部領域３０２を形成することにより、造形物５０の内部を通過して反対側へ抜ける光の影響を適切に抑えることができる。
【産業上の利用可能性】
【０１０７】
本発明は、例えば造形装置に好適に利用できる。
【符号の説明】
【０１０８】
１０・・・造形装置、１２・・・ヘッド部、１４・・・造形台、１６・・・走査駆動部、２０・・・制御部、５０・・・造形物、５２・・・サポート層、１０２・・・インクジェットヘッド、１０４・・・紫外線光源、１０６・・・平坦化ローラ、３０２・・・内部領域、３０４・・・光反射領域、３０６・・・着色領域、３０８・・・黒色領域、３１０・・・領域、３１２・・・領域、４０２・・・層、４０４・・・層
【図１】
2018027627.tif 000003
【図２】
2018027627.tif 000004
【図３】
2018027627.tif 000005
【図４】
2018027627.tif 000006